(57)【要約】【課題】固定レールと可動レールとの組み合わせで、棚の引き出しを容易にしたものであり、棚の取付けが容易で、任意に取付け位置を変更できる冷蔵庫を提供する。【解決手段】手前端にローラー２３を配した固定レール１５を冷蔵庫１０の内壁に取付け、この固定レール１５にローラー２８を介して摺動可能の可動レール２５を装填し、この可動レール２５に棚３３を取付けてなる冷蔵庫１０において、冷蔵庫１０の内壁面に、同一形状の貫通孔１８を同一ピッチで穿孔し、冷蔵庫１０の内壁面との間に空隙ができるようにした棚柱１１を固定し、この棚柱１１の貫通孔１８に、貫通孔１８に嵌る掛け爪１９を有するブラケット１３と押え金具１４を装着し、このブラケット１３と押え金具１４との間に、固定レール１５の支持金具１６の端を挿入し、押え金具１４から支持金具１６に亘って固定ネジ１７を螺合することにより固定レール１５を取付けてなる構成としたものである。【選択図】図１
2006336976.tif 000002
【特許請求の範囲】
【請求項１】
手前端にローラー（２３）を配した固定レール（１５）を冷蔵庫（１０）の内壁に取付け、この固定レール（１５）にローラー（２８）を介して摺動可能の可動レール（２５）を装填し、この可動レール（２５）に棚（３３）を取付けてなる冷蔵庫（１０）において、冷蔵庫（１０）の内壁面に、同一形状の貫通孔（１８）を同一ピッチで穿孔し、冷蔵庫（１０）の内壁面との間に空隙ができるようにした棚柱（１１）を固定し、この棚柱（１１）の貫通孔（１８）に、貫通孔（１８）に嵌る掛け爪（１９）を有するブラケット（１３）と押え金具（１４）を装着しこのブラケット（１３）と押え金具（１４）との間に、固定レール（１５）の支持金具（１６）の端を挿入し、押え金具（１４）から支持金具（１６）に亘って固定ネジ（１７）を螺合することにより固定レール（１５）を取付けてなることを特徴とする冷蔵庫。
【請求項２】
上記固定レール（１５）手前端には横桟（２１）が掛け渡され、奥端には上記固定レール（１５）の支持金具（１６）を兼ねた奥板（２２）が掛け渡されて枠を形成し、上記可動レール（２５）の奥端には横桟（２９）が掛け渡され、手前端には引き手板（３０）が掛け渡されて枠を形成してなることを特徴とする請求項１に記載の冷蔵庫。
【請求項３】
上記可動レール（２５）枠の底部分の内周には耳（２７，３１，３２）が張り出し、この耳に棚（３３）に設けた脚（３４）が嵌るようにしたことを特徴とする請求項１または２に記載の冷蔵庫。
【請求項４】
上記棚（３３）が前面を開放した籠状としたことを特徴とする請求項１乃至３のいずれかに記載の冷蔵庫。
【請求項５】
扉がセンターピラーの両側で観音開きになる冷蔵庫にあっては、センターピラーの裏面に上記棚柱を固定してなることを特徴とする請求項１乃至４のいずれかに記載の冷蔵庫。
【発明の詳細な説明】
【技術分野】
【０００１】
この発明は棚の取付け位置・間隔を自由に選択できる冷蔵庫に関する。
【背景技術】
【０００２】
冷蔵庫の内部には、被冷蔵物を収容する棚が設けられてあり、この棚に関する先行技術として特許文献１がある。
【０００３】
【特許文献１】特開２００４−２９３９１０号公報（要約および選択図面）
【０００４】
上記特許文献に係る先行技術は、冷蔵庫の内壁に固定レールを設置し、この固定レールにローラーを介して可動レールを摺動可能に配置し、この可動レールに前・後アームと棚支えをリンクさせて平行四辺形運動機構を構成し、前記棚支えに棚容器を取付けたもので、棚容器を引き出した後、水平状態を維持しながら上下動可能にしたものである。
【発明の開示】
【発明が解決しようとする課題】
【０００５】
上記先行技術は、棚容器の引き出しを容易にし、引き出した棚容器を低くして物品の出し入れを容易にしたもので、棚あるいは棚容器（以下、単に「棚」とする）の取付けを容易にすること、棚の取付けを任意に変更可能にすることについては考慮されていない。
【０００６】
上記従来技術の問題に鑑みこの発明は、冷蔵庫内への棚の取付けを固定レールと可動レールとの組み合わせで、両レールの間にローラーを介在させて引き出しを容易にしたものでありながら、棚の取付けが容易で、任意に取付け位置を変更できる冷蔵庫を提供することを課題とする。
【課題を解決するための手段】
【０００７】
本発明は上記課題を解決するために、手前端にローラー２３を配した固定レール１５を冷蔵庫１０の内壁に取付け、この固定レール１５にローラー２８を介して摺動可能の可動レール２５を装填し、この可動レール２５に棚３３を取付けてなる冷蔵庫１０において、冷蔵庫１０の内壁面に、同一形状の貫通孔１８を同一ピッチで穿孔し、冷蔵庫１０の内壁面との間に空隙ができるようにした棚柱１１を固定し、この棚柱１１の貫通孔１８に、貫通孔１８に嵌る掛け爪１９を有するブラケット１３と押え金具１４を装着し、このブラケット１３と押え金具１４との間に固定レール１５の支持金具１６の端を挿入し、押え金具１４から支持金具１６に亘って固定ネジ１７を螺合することにより固定レール１５を取付けてなる構成としたものである。
なお、上記固定レール１５手前端には横桟２１が掛け渡され、奥端には上記固定レール１５の支持金具１６を兼ねた奥板２２が掛け渡されて枠を形成し、上記可動レール２５の奥端には横桟２９が掛け渡され、手前端には引き手板３０が掛け渡されて枠を形成してなる構成としたものである。
さらに詳しくは、上記可動レール２５枠の底部分の内周には耳２７，３１，３２が張り出し、この耳に棚３３に設けた脚３４が嵌るようにし、必要ならば、上記棚３３が前面を開放した籠状とすることができる。
【発明の効果】
【０００８】
上記の如く構成するこの発明によれば、固定レールが冷蔵庫の壁面に固定した棚柱を介して取付けられるので、棚の取付け位置、間隔を自由に選択することができ、用途に従って位置・間隔を変更できる。
【発明を実施するための最良の形態】
【０００９】
次にこの発明の実施の形態を、図面を参照しながら説明する。図１は、本発明に係る冷蔵庫の内部構造説明図で、冷蔵庫１０の内壁面には棚柱１１（図２，３，４参照）が、例えばビスネジ１２により取付けられ、この棚柱１１にブラケット１３と押え金具１４が取付けられ、上記ブラケット１３と押え金具１４との間に、固定レール１５の後端に取付けられた支持金具１６の端が挿入され固定ネジ１７をねじ込んで固定レール１５が支持・固定している。なお、上述の棚柱１１への固定レール１５の支持・固定は、図４で分かるように冷蔵庫１０の内壁面の四カ所で行われる。
【００１０】
棚柱１１は、図４に示すようにコ字状の両端から外側に耳を延した断面形状の部材の凸部に、同一寸法の長方形の貫通孔１８を同一ピッチで穿設したもので、図３（ａ）に示すようにビスネジ１２で固定している。なお、棚柱１１は上記断面形状にする必要はなく単なるコ字状の断面としてもよい。また、扉がセンターピラーの両側で観音開きになる冷蔵庫の場合、四本の棚柱の内、一本の棚柱１１’はセンターピラーの裏面に固定される。
【００１１】
ブラケット１３は、帯状材を３０°くらいに折り曲げ、その両端をさらに折り曲げて掛け爪１９を設け、さらに上面に切り起こし２０を設けて、支持金具１６と押え金具１４の小孔を貫通して位置決めのノックピンの役割を担っている。
【００１２】
固定レール１５は断面コ字状で、手前端でコ字状を開いた形状の部材を向き合わせて配置し、この固定レール１５の手前端に横桟２１を渡して固定し、奥端に支持金具１６を兼ねた奥板２２を渡し固定して枠を形成し、固定レール１５の手前端のコ字状を開いた部分にローラー２３が回転可能に軸支されている。なお、固定レール１５奥端の支持金具１６を兼ねた奥板２２とは折り曲げ片２４を介して繋がれている。
【００１３】
可動レール２５は、上縁に外向きの耳２６を、下縁に内向きの耳２７を延設した部材からなり、可動レール２５の奥端部分の外向き耳２６をカットしてローラー２８を回転可能に軸支し、可動レール２５の奥端には横桟２９を渡し、手前端には横桟を兼ねた引き手板３０が渡されて枠を形成している。
【００１４】
可動レール２５の下縁内向きの耳２７は幅が広くなって、奥端の横桟２９の下縁から、また引き手板３０の下縁から幅広の耳３１，３２が延設されて棚籠３３の支持部となっている。
【００１５】
棚籠３３は、両側面と奥面が立ち上がり、前面を開口して冷蔵品の出し入れを容易にし、両側と奥端の下側に脚３４が延びて、この脚３４が上記棚籠３３の支持部（耳２７，３１，３２）に載って可動レール２５内に納まるようになっている。なお、上記棚籠にせず、平板あるいは平網の裏面に上記脚３４を設けて単なる棚板とすることもできる。
【産業上の利用可能性】
【００１６】
以上説明したようにこの発明によれば、固定レールが冷蔵庫の壁面に固定した棚柱を介して取付けられるので、棚の取付け位置、間隔を自由に選択することができ、用途に従って位置・間隔を変更できる。従って、冷蔵庫の内容積を効率よく活用でき、冷蔵品の間隔を適宜調整できるので冷蔵効果を十分発揮することができる。
【図面の簡単な説明】
【００１７】
【図１】この発明に係る冷蔵庫の内部構造の説明図
【図２】固定・可動レールおよび棚（棚籠）部分の拡大図
【図３】棚柱への固定レールの取付け部分の拡大図
【図４】本発明に係る主要部品の分解斜視図
【符号の説明】
【００１８】
１０  冷蔵庫
１１  棚柱
１２  ビスネジ
１３  ブラケット
１４  押え金具
１５  固定レール
１６  支持金具
１７  固定ネジ
１８  貫通孔
１９  掛け爪
２０  切り起こし
２１  横桟
２２  奥板
２３  ローラー（固定レールの）
２４  折り曲げ片
２５  可動レール
２６  耳（外向きの）
２７  耳（内向きの）
２８  ローラー（可動レールの）
２９  横桟（可動レールの）
３０  引き手板
３１，３２  耳
３３  棚（棚籠）
３４  脚
３５  扉
３６  把手
【図１】
2006336976.tif 000003
【図２】
2006336976.tif 000004
【図３】
2006336976.tif 000005
【図４】
2006336976.tif 000006